(57)【要約】【課題】自立が不安定な加熱器を安定して支承してテーブル上に設置できると共に、他の必要な備品も体裁よく配置できる加熱器用の設置台を提供する。【解決手段】加熱器６の支持部２、支持部２が自立可能に下設した脚３、及び支持部２より立設したトング掛４と小物皿受５を有する。支持部２がリング形状２１より成り、加熱器６のテーパー状の外側壁６１を挿入して挟持し、又は加熱器６の側周に形成した段部に係止して支承する。【選択図】  図２
2011202818.tif 000002
【特許請求の範囲】
【請求項１】
自立が不安定な加熱器用の安定台であって、加熱器の支持部、支持部が自立可能に下設した脚、及び支持部より立設したトング掛及び／又は小物皿受を有することを特徴とする加熱器用設置台。
【請求項２】
支持部がリング形状より成り、加熱器のテーパー状の外側壁を挿入して挟持し、又は加熱器の側周に形成した段部に係止して支承することを特徴とする請求項１記載の加熱器用設置台。
【請求項３】
トング掛及び小物皿受が着脱可能に支持部から延設した腕に取り付けられていることを特徴とする請求項１又は２記載の加熱器用設置台。
【請求項４】
小物皿受が腕に対して水平方向に回動可能に取り付けられていることを特徴とする請求項３記載の加熱器用設置台。
【請求項５】
小物皿受はリング形状より成り、小物皿の側周に形成した段部に係止して支承することを特徴とする請求項３又は４記載の加熱器用設置台。
【請求項６】
小物皿が焼滓入れ又は灰皿である請求項５記載の加熱器用設置台。
【発明の詳細な説明】
【技術分野】
【０００１】
本発明は、例えば焼肉料理提供店等で使用される加熱器である七輪等を支承する設置台に関するものである。
【背景技術】
【０００２】
上記の料理提供店では、テーブル上に加熱器を載置して使用するものである。
そして、炭火焼を特徴とする料理店では、七輪に炭火を入れて調理することになり、安全性を高め安定感のある七輪とするため、底部を広く設計した形態の七輪となるのである。
【０００３】
しかし、七輪の安全性は確保されるけれど、テーブル上を占拠するスペースが広くなり、他の必要な器物の置き場に制約が生じること、視野を遮りテーブルを囲んでの食事に水を差すこと等の食事環境としては好ましくない問題が指摘されている。
【０００４】
このような状況において、上面の焼面の大きさを確保し下部の底面に至る側壁をテーパーに細めて設置面を小さくすると共に、見通しを良くする七輪が提案されているけれど、極端に細めると自立できず、自立できたとしても安定性に欠けるものとなる。
【先行技術文献】
【特許文献】
【０００５】
【特許文献１】特開２００１−８２７４３号公報
【特許文献２】実用新案登録第３０８０６３８号公報
【発明の概要】
【発明が解決しようとする課題】
【０００６】
上記のような状況に鑑み、本発明は自立が不安定な加熱器を安定して支承してテーブル上に設置できると共に、他の必要な備品も体裁よく配置できる加熱器用の設置台を提供せんとするものである。
【課題を解決するための手段】
【０００７】
本発明の請求項１の加熱器用設置台は、自立が不安定な加熱器用の設置台であって、加熱器の支持部、支持部が自立可能に下設した脚、及び支持部より立設したトング掛及び／又は小物皿受を有することを特徴とするものである。
【０００８】
請求項２の発明は、請求項１記載の加熱器用設置台において、支持部がリング形状より成り、加熱器のテーパー状の外側壁を挿入して挟持し、又は加熱器の側周に形成した段部に係止して支承することを特徴とするものである。
【０００９】
請求項３の発明は、請求項１又は２記載の加熱器用設置台において、トング掛及び小物皿受が着脱可能に支持部から延設した腕に取り付けられていることを特徴とするものである。
【００１０】
請求項４の発明は、請求項３記載の加熱器用設置台において、小物皿受が腕に対して水平方向に回動可能に取り付けられていることを特徴とするものである。
【００１１】
請求項５の発明は、請求項３又は４記載の加熱器用安定台において、小物皿受はリング形状より成り、小物皿の側周に形成した段部に係止して支承することを特徴とするものである。
【００１２】
請求項６の発明は、請求項５記載の加熱器用設置台において、小物皿が焼滓入れ又は灰皿であることを特徴とするものである。
【発明の効果】
【００１３】
本発明の請求項１の加熱器用設置台は、加熱器を自立可能な脚を有する支持部で支持することによって設置できるのであり、焼肉調理に必要なトング、焼滓入れや灰皿等の小物皿を設置台に関連つけて設けることも出来るため、本設置台によって、自立の不安定な加熱器を安定して支持・設置できる効果を有し、焼肉調理に必要なトングや焼滓入れ或いは灰皿等の小物皿を体裁よく配備できると共に、設置するテーブル面を広く利用できる効果も有するのである。
【００１４】
請求項２の発明は、請求項１の効果に加え、支持部がリング形状より成り、加熱器のテーパー状の外側壁を、当該リング形状の支持部に挿入して挟持することで確実に安定した支持が得られ効果を有し、又、加熱器の側周に形成した段部を当該リング形状の支持部に係止して支承することでも同様の効果を得られるものである。
【００１５】
請求項３の発明は、請求項１又は２の効果に加え、トング掛及び小物皿受が支持部から延設した腕に着脱可能に取り付けられているため、必要に応じてトング掛及び小物皿受を腕に取り付けられ、不必要な時や移動・収納時或いは洗浄時には取り外して取り扱いできる効果を有する。
【００１６】
請求項４の発明は、請求項３の効果に加え、小物皿受が腕に対して水平方向に回動可能に取り付けられているため、小物皿使う人の座席に応じて使いやすい位置に回動して位置決めできる効果を有するのである。
【００１７】
請求項５の発明は、請求項３又は４の効果に加え、小物皿受はリング形状より成り、小物皿の側周に形成した段部に係止して支承するものであるから、確実に係止することができると共に、着脱が容易であり、小物皿の頻繁な取替えにも対応でき作業が迅速容易となる効果を有する。
【００１８】
請求項６の発明は、請求項５の効果に加え、小物皿が焼滓入れ又は灰皿とすることで、焼肉を主とする料理店では必須の小物皿を体裁よく配備できる効果を発揮する。
【図面の簡単な説明】
【００１９】
【図１】本発明に係る加熱器用設置台の一実施の形態を示す分解斜視図である。
【図２】図１の使用の状態を示す正面図である。
【図３】他の加熱器との使用の状態を示す正面図である。
【図４】焼滓入れの一実施の形態を示す正面図である。
【図５】灰皿の一実施の形態を示す正面図である。
【発明を実施するための形態】
【００２０】
本発明の一実施の形態を図面に基づいて説明する。
図１は本発明に係る加熱器用設置台１の一実施の形態を示す分解斜視図であり、加熱器１０の支持部２、支持部２が自立可能に下設した脚３、３、３、及び支持部２より立設したトング掛４と小物皿受５より構成している。
【００２１】
支持部２は線体をリング状に形成した枠体２１であり、脚３はリング状枠２１の下面から垂下して外側に湾曲してリング状枠２１と設置面（テーブル）１０とに間隔を形成している。
したがって、逆円錐状の形態とした側周壁６１を有する加熱器６をリング状枠２１で形成した支持部２へ上から挿入すると、側周壁６１の途中がリング状枠２１に引っ掛って係止すると共に、加熱器６が支持部２に支承されて安定して設置されることとに成る。
【００２２】
支持部２及び脚３と加熱器６の関係は、加熱器６がリング状枠２１に係止して支承された状態で、加熱器６の底面６２が設置面１０とに僅かでも間隙が生じるように、リング状枠２１の内径や脚３の高さを関係付けて設計するものである。
また、図面では脚３は平板体で三方向に下設されているが、材料や本数は限定されるものではない。
【００２３】
加熱器６との係止は、図３に示すように加熱器６の上部縁の段部や側周壁に形成した段部にリング状枠２１を引っ掛けて支承するようにしてもよい。
また、リング状枠２１が全周にわたって加熱器６と係止する必要は無く、リング状枠２１から突設した複数の係止片で加熱器６を支承するものとしてもよい。
【００２４】
トング掛４は、線体が支持部２のリング状枠２１から一旦側方へ伸びて起立し、加熱器６が支持部２に支承された時に干渉しないように延設されており、先部にトング７の引っ掛け鈎４１が形成されている。
また、トング掛４の線体は、側方へ延伸した腕部４２と起立部４３に分割され、連係具である長ナット４４を介して連結され、分離が可能となっている。
起立部４３はトング７引っ掛け鈎４１へ掛けた時に、少なくともトング７の下端が設置面１０（テーブル等）に着かない高さとしてある。
【００２５】
小物皿受５は、側方へ延伸した腕部５１と受部５３で構成する。
腕部５１は、加熱器６が支持部２に支承された時に干渉しないように側方へ延設した線体で、この腕部５１の先端ネジ部５２に受部５３が横方向に回動可能に装着してある。
受部５３は、下端にリング５４、上端に取付片５５を設け、取付片５５の透孔５６を、前記腕部５１の先端螺刻部５２にナット５７、５７で回動可能に挟持して取り付けられている。
【００２６】
使用に当たっては、小物皿受５のリング５４に、焼滓入れ８の上部縁８１や灰皿９の段部９１が係止し、装着及び取り外しが容易に配設するものである。
装着した時の焼滓入れ８や灰皿９の位置は、低く設定した方が使用勝手は良く、会同させて使用者の座席に応じた位置決めが可能で、不使用時には加熱器６の下部空間に移動してテーブル面を広く使用できるようにできる。
【００２７】
また、本設置台を、線体を主として構成することにより、本設置台自体が、テーブル上を占拠するスペースを小さくでき、他の必要な器物の置き場に制約が生じることもなく、また、視野を遮って見通しが悪くなるのを回避でき、食事環境を良好にするものとなる。
【００２８】
以上、本発明を実施の形態に基づき具体的に説明したが、本発明は上記の実施形態に限定されるものではなく、発明の思想を逸脱することなく、本発明の特徴を有し同等の作用効果を発揮する連結具にも適用可能である。
【符号の説明】
【００２９】
１    加熱器用設置台
２    支持部
２１  リング状枠
３    脚
４    トング掛
４１  引っ掛け鉤
４２  腕部
４３  起立部
４４  長ナット
５    小物皿受
５１  腕部
５２  先端ネジ部
５３  受部
５４  リング
５５  取付片
５６  透孔
５７  ナット
６    加熱器
７    トング
８    焼滓入れ
８１  上部縁
９    灰皿
９１  段部
１０  設置面
【図１】
2011202818.tif 000003
【図２】
2011202818.tif 000004
【図３】
2011202818.tif 000005
【図４】
2011202818.tif 000006
【図５】
2011202818.tif 000007